(57)【要約】【課題】携帯型の薬剤拡散装置において、空気の通る開口部を大きくして高い能力が得られるようにする場合に、ストラップの取り付け作業性を良好にするとともに、更なるコンパクト化を図って携帯性を良好にする。【解決手段】ケース１０における吸気用開口部１４及び排気用開口部２０の周縁部には、該ケースにおける開口部１４，２０の周縁部を補強するための棒状部１５及び柱状部２１が設けられている。柱状部２１にストラップ２が取り付けられるようになっている。【選択図】図３
2011142825.tif 000002
【特許請求の範囲】
【請求項１】
薬剤を保持した薬剤保持体と、
上記薬剤保持体に空気を送るための送風機と、
上記薬剤保持体及び上記送風機を収容するケースとを備え、
上記ケースには、吸気用開口部及び排気用開口部が形成され、
上記送風機の作動によって上記ケースの外部の空気を上記吸気用開口部から該ケースの内部に吸入して上記薬剤保持体に送風した後、上記排気用開口部から該ケースの外部へ排出して上記薬剤を空気中に拡散させるように構成された携帯型薬剤拡散装置において、
上記ケースにおける吸気用開口部と排気用開口部との少なくとも一方の周縁部には、該ケースにおける開口部の周縁部を補強するための補強部が設けられ、
上記補強部には、ストラップが取り付けられることを特徴とする携帯型薬剤拡散装置。
【請求項２】
請求項１に記載の携帯型薬剤拡散装置において、
補強部は、ケースの開口部の周縁部における互いに離れた部位同士を連結するように延びる柱状をなしていることを特徴とする携帯型薬剤拡散装置。
【請求項３】
請求項１または２に記載の携帯型薬剤拡散装置において、
補強部は、ケースにおける排気用開口部の周縁部に設けられていることを特徴とする携帯型薬剤拡散装置。
【請求項４】
請求項１から３のいずれか１つに記載の携帯型薬剤拡散装置において、
使用者に取り付け可能に構成されたストラップを備えており、
上記ストラップには、ケースが使用者の体から離れる方向に移動するのを規制する規制部が設けられていることを特徴とする携帯型薬剤拡散装置。
【請求項５】
請求項１から４のいずれか１つに記載の携帯型薬剤拡散装置において、
補強部は、互いに間隔をあけて複数設けられていることを特徴とする携帯型薬剤拡散装置。
【発明の詳細な説明】
【技術分野】
【０００１】
本発明は、防虫剤等の薬剤を空気中に拡散させるための薬剤拡散装置に関するものであり、特に、使用者が携帯可能な構造の技術分野に属するものである。
【背景技術】
【０００２】
従来から、この種の携帯型薬剤拡散装置としては、例えば、特許文献１、２に開示されているように、送風用のファンと、ファンを駆動するためのモーターと、モーターの電源となる電池と、薬剤を保持した薬剤保持体とを備え、これらをケースに収容して構成された装置が知られている。
【０００３】
ケースには、内部に空気を取り入れるための吸気用開口部と、取り入れた空気を排出するための排気用開口部とが形成されている。そして、モーターで駆動されたファンによってケースの吸気用開口部から空気を取り入れて薬剤保持体に当て、薬剤を含む空気を排気用開口部から排出することによって薬剤を空気中に拡散できるようになっている。
【０００４】
また、特許文献１、２の装置は携帯型であるため、ケースにはストラップが取り付けられるストラップ取付部が設けられている。ストラップ取付部は、リング形状とされ、ケースの外側へ突出している。このようにストラップ取付部をケースの外側へ突出させることにより、ストラップを取り付ける際にケースが邪魔になりにくい。
【先行技術文献】
【特許文献】
【０００５】
【特許文献１】特開２００５−１８５１３９号公報
【特許文献２】特開２００５−２０４５１７号公報
【発明の概要】
【発明が解決しようとする課題】
【０００６】
ところで、特許文献１、２のような薬剤拡散装置では、単位時間当たりの薬剤拡散量を多くして能力を向上させたいという要求がある。この要求に対して、ファンやモーターを大型化して大風量を確保することが考えられる。ところが、このような方法をとった場合には、大型のファンやモーターを収容する必要があることからケースが大型化してしまい、ひいては、薬剤拡散装置の携帯時に該装置が使用者の邪魔になりやすく、携帯性が悪化するという問題がある。
【０００７】
そこで、ファンやモーターをそれほど大型化せずに能力を向上させる方法として、ケースの吸気用開口部や排気用開口部を大きくすることによって空気のケースへの出入りを全体的にスムーズにして損失を減少させることが考えられる。ところが、この方法を採用した場合には、ケースの開口部の面積が大きくなる分、ケースの強度低下を招くことになる。特に、携帯型の薬剤拡散装置では、携帯時に振り回されることや、落下することがあり、様々な力がかかることが想定されるので、ケースの強度が低下していると、ケースが変形したり破損する原因となり、問題となる。
【０００８】
一方、携帯型の薬剤拡散装置では、ケースにストラップ取付部を設ける必要があるが、特許文献１、２のようにストラップ取付部がケースの外側へ突出していると、ストラップを取り付けやすくできる反面、薬剤拡散装置のコンパクト化を阻害する要因となる。
【０００９】
本発明は、かかる点に鑑みてなされたものであり、その目的とするところは、空気の通る開口部を大きくして高い能力が得られるようにする場合に、開口部の形成によるケースの強度低下を抑制する構造を設け、この強度低下を抑制する構造を利用してストラップを容易に取り付けることができるようにしてストラップの取り付け作業性を良好にするとともに、薬剤拡散装置の更なるコンパクト化を図って携帯性を良好にすることにある。
【課題を解決するための手段】
【００１０】
上記目的を達成するために、本発明では、ケースの開口部の周縁部に設けた補強部をストラップの取付部として利用するようにした。
【００１１】
第１の発明は、薬剤を保持した薬剤保持体と、上記薬剤保持体に空気を送るための送風機と、上記薬剤保持体及び上記送風機を収容するケースとを備え、上記ケースには、吸気用開口部及び排気用開口部が形成され、上記送風機の作動によって上記ケースの外部の空気を上記吸気用開口部から該ケースの内部に吸入して上記薬剤保持体に送風した後、上記排気用開口部から該ケースの外部へ排出して上記薬剤を空気中に拡散させるように構成された携帯型薬剤拡散装置において、上記ケースにおける吸気用開口部と排気用開口部との少なくとも一方の周縁部には、該ケースにおける開口部の周縁部を補強するための補強部が設けられ、上記補強部には、ストラップが取り付けられることを特徴とするものである。
【００１２】
この構成によれば、吸気用開口部と排気用開口部との少なくとも一方の周縁部が補強部によって補強されるので、吸気用開口部や排気用開口部を大型化して能力の向上を図る場合に、ケースの強度低下が抑制される。よって、携帯時にケースの変形や破損が起こりにくくなる。
【００１３】
そして、ストラップをケースに取り付ける際には、上記補強部に取り付ければよいので、従来例のようにストラップを取り付けるためだけの専用のストラップ取付部をケースに設けずに済み、コンパクト化が図られる。また、補強部は開口部の周縁部に設けられているので、補強部の周りには空間があり、この空間を利用してストラップを補強部へ容易に取り付けることが可能になる。
【００１４】
第２の発明は、第１の発明において、補強部は、ケースの開口部の周縁部における互いに離れた部位同士を連結するように延びる柱状をなしていることを特徴とするものである。
【００１５】
この構成によれば、ストラップを取り付ける際には、ストラップの一部をケースの開口部へ差し込んで補強部に取り付けることが可能になる。
【００１６】
第３の発明は、第１または２の発明において、補強部は、ケースにおける排気用開口部の周縁部に設けられていることを特徴とするものである。
【００１７】
この構成によれば、排気用開口部から排出される薬剤を含む空気が補強部に当たって拡散し、さらにストラップにも当たって拡散することになる。
【００１８】
第４の発明は、第１から３のいずれか１つの発明において、使用者に取り付け可能に構成されたストラップを備えており、上記ストラップには、ケースが使用者の体から離れる方向に移動するのを規制する規制部が設けられていることを特徴とするものである。
【００１９】
この構成によれば、ストラップが取り付けられた状態で、規制部により、ケースが使用者の体から離れる方向に移動するのが規制される。
【００２０】
第５の発明は、第１から４のいずれか１つの発明において、補強部は、互いに間隔をあけて複数設けられていることを特徴とするものである。
【００２１】
この構成によれば、ケースの強度がより一層高まる。また、ストラップの取付位置を変更することが可能になる。
【発明の効果】
【００２２】
第１の発明によれば、ケースにおける吸気用開口部と排気用開口部との少なくとも一方の周縁部に補強部を設けたので、ケースに大きな吸気用開口部や排気用開口部を形成して高い能力を得る場合にケースの変形や破損を抑制できる。また、開口部の周縁部に設けた補強部にストラップを取り付けるようにしたことで、ストラップの取り付け作業性を良好にでき、しかも、専用のストラップ取付部を不要にして薬剤拡散装置の更なるコンパクト化を図ることができ、携帯性を良好にすることができる。
【００２３】
第２の発明によれば、補強部を、ケースの開口部の周縁部における互いに離れた部位同士を連結するように延びる柱状としたので、ストラップを取り付ける際に、ケースの開口部を有効に利用して補強部に容易に取り付けることができる。
【００２４】
第３の発明によれば、補強部を排気用開口部の周縁部に設けたことで、薬剤を含んだ空気を補強部及びストラップに当てることができる。これにより、薬剤を広い範囲に拡散させることができる。
【００２５】
第４の発明によれば、ストラップに、ケースが使用者の体から離れる方向に移動するのを規制する規制部を設けたので、例えば使用者が歩く際に、ケースが体から離れて体に当たるように動くのを抑制でき、携帯時の違和感を感じ難くできる。
【００２６】
第５の発明によれば、補強部を互いに間隔をあけて複数設けたので、ケースの強度をより一層高めることができ、しかも、ストラップの取付位置の変更が可能となって利便性を向上できる。
【図面の簡単な説明】
【００２７】
【図１】実施形態にかかる携帯型薬剤拡散装置の正面図である。
【図２】ストラップを取り外した状態の携帯型薬剤拡散装置の正面図である。
【図３】ストラップを取り付けた状態の携帯型薬剤拡散装置の斜視図である。
【図４】ストラップを取り外した状態の携帯型薬剤拡散装置の斜視図である。
【図５】ストラップを取り外した状態の携帯型薬剤拡散装置の平面図である。
【図６】ストラップを取り外した状態の携帯型薬剤拡散装置の右側面図である。
【図７】ストラップを取り外した状態の携帯型薬剤拡散装置の左側面図である。
【図８】ストラップを取り外した状態の携帯型薬剤拡散装置の背面図である。
【図９】図２におけるIX−IX線断面図である。
【図１０】図２におけるX−X線断面図である。
【図１１】ストラップの正面図である。
【図１２】ストラップの側面図である。
【図１３】変形例にかかる図２相当図である。
【発明を実施するための形態】
【００２８】
以下、本発明の実施形態を図面に基づいて詳細に説明する。尚、以下の好ましい実施形態の説明は、本質的に例示に過ぎず、本発明、その適用物あるいはその用途を制限することを意図するものではない。
【００２９】
図１は、本発明の実施形態にかかる携帯型薬剤拡散装置１を示すものである。薬剤拡散装置１は、使用者が例えば屋外で携帯して使用するものであり、携帯用のストラップ２を備えている。ストラップ２は、例えば、使用者のベルトや、乳母車の車体等に取り付けることが可能である。尚、詳細は後述するが、ストラップ２を薬剤拡散装置１から取り外して使用することも可能である。
【００３０】
また、薬剤拡散装置１は、薬剤として害虫忌避剤を空気中に拡散するように構成されている。害虫忌避剤は、従来から用いられている周知の揮発性を有する薬剤であるため、詳細な説明は省略する。薬剤としては、他に、例えば、芳香剤、消臭剤、殺菌剤、防ダニ剤、殺虫剤等が挙げられ、これらのうち、１種類のみを拡散させるようにしてもよいし、２種類以上を拡散させるようにしてもよい。
【００３１】
薬剤拡散装置１は、図９や図１０に示すように、害虫忌避剤を保持した薬剤保持体３と、薬剤保持体３に空気を送るための送風機４と、送風機４の電源となる電池５と、薬剤保持体３、送風機４及び電池５を収容するケース１０とを備えている。
【００３２】
図２〜図７に示すように、ケース１０は、略正面視で幅方向の寸法が奥行き方向の寸法よりも短い扁平形状とされている。ケース１０の底壁部１０ａは略平坦に形成されており、よって、薬剤拡散装置１は、ストラップ２を取り外した状態で、例えば机の上等に置いて安定した状態で使用することもできるようになっている。
【００３３】
図２に示すように、ケース１０の上壁部１０ｂは、上方へ向けて湾曲している。また、ケース１０の左右両側壁部１０ｃ，１０ｄは、略上下方向に延びており、左右両側壁部１０ｃ，１０ｄの上端部は、上壁部１０ｂの左右両縁部にそれぞれ連なっている。ケース１０の前壁部１０ｅは、略上下方向に延びている。図５に示すように、前壁部１０ｅの周縁部には、面取りが施されている。
【００３４】
前壁部１０ｅには、図９や図１０にも示すように、吸気用開口部１４が該前壁部１０ｅを貫通するように形成されている。図２に示すように、吸気用開口部１４は、前壁部１０ｅの周縁部を除く部分に広く形成されている。吸気用開口部１４の上縁部は、ケース１０の上壁部１０ｂの湾曲形状に対応するように湾曲して延びている。吸気口用開口部１４の左右両縁部は、ケース１０の左右両側壁部１０ｃ，１０ｄに沿うように略上下方向に延びている。また、吸気用開口部１４の下縁部は、ケース１０の底壁部１０ａに沿うように左右方向に延びている。従って、吸気用開口部１４は、正面視におけるケース１０の外形状と略相似な形状となっている。
【００３５】
ケース１０の前壁部１０ｅには、吸気用開口部１４が形成されていることによる強度低下を抑制するための複数の補強用棒状部（補強部）１５，１５，…が設けられている。棒状部１５は、略上下方向に真っ直ぐに延びており、左右方向に略等しい間隔をあけて配置されている。棒状部１５の上端部は、ケース１０における吸気用開口部１４の上縁部に一体化しており、また、棒状部１５の下縁部は、ケース１０における吸気用開口部１４の下縁部に一体化している。つまり、棒状部１５は、ケース１０における吸気用開口部１４の周縁部における互いに離れた部位同士を連結するように延びる柱状をなしている。
【００３６】
図１０に示すように、前壁部１０ｅにおける吸気用開口部１４の上縁部近傍には、下方へ行くほどケース１０内側（後側）に位置するように傾斜する上側傾斜面１６が形成されている。また、前壁部１０ｅにおける吸気用開口部１４の下縁部近傍には、上方へ行くほどケース１０内側（後側）に位置するように傾斜する下側傾斜面１７が形成されている。
【００３７】
図８に示すように、ケース１０の後壁部１０ｆは、略平坦に延びており、この後壁部１０ｆには、開口部や凸部、凹部は形成されていない。図５に示すように、後壁部１０ｆの周縁部には、前壁部１０ｅと同様に面取りが施されている。
【００３８】
ケース１０には、排気用開口部２０が形成されている。図５〜図７に示すように、排気用開口部２０は、左側壁部１０ｃから上壁部１０ｂ、右側壁部１０ｄに亘って広い範囲に形成されている。排気用開口部２０は、上記壁部１０ｃ，１０ｂ，１０ｄの後側部分に位置している。
【００３９】
ケース１０には、排気用開口部２０が形成されていることによる強度低下を抑制するための補強用の上側、左側及び右側柱状部（補強部）２１，２２，２３が設けられている。
【００４０】
図４や図６に示すように、上側柱状部２１は、上壁部１０ｂにおいて排気用開口部２０内に位置するように設けられており、排気用開口部２０の前縁部と後縁部とを連結するように前後方向に延びている。つまり、上側柱状部２１は、ケース１０における排気用開口部２０の周縁部における互いに離れた部位同士を連結するように延びている。また、上側柱状部２１の断面形状は、略円形とされている。
【００４１】
図７に示すように、左側柱状部２２は、左壁部１０ｃにおいて排気用開口部２０内に位置するように設けられており、上側柱状部２１と同様に、排気用開口部２０の前縁部と後縁部とを連結するように前後方向に延び、略円形の断面形状を有している。この左側柱状部２２は、排気用開口部２０の下縁部よりも上方に離れている。
【００４２】
また、図４や図６に示すように、右側柱状部２３は、右壁部１０ｅにおいて排気用開口部２０内に位置するように設けられており、上側柱状部２１と同様に、排気用開口部２０の前縁部と後縁部とを連結するように前後方向に延び、略円形の断面形状を有している。右側柱状部２３は、排気用開口部２０の右縁部よりも上方に離れている。上記上側、左側及び右側柱状部２１，２２，２３は同じ形状である。
【００４３】
ケース１０は、前側部材３０と後側部材３１とを備えている。前側部材３０及び後側部材３１は、それぞれ樹脂材で構成されている。後側部材３１は、前側へ開放する箱状をなしている。前側部材３０は、後側部材３１の開放部分を前方から覆うように形成されている。前側部材３０の下部は、後側部材３１の下部に対し左右方向に延びる回動軸（図示せず）周りに回動可能に連結されている。また、図６に示すように、前側部材３０の上部には、後方へ突出する爪部３２が形成されている。この爪部３２は、後側部材３１の上部に対し、上方から係合するようになっている。爪部３２の係合によって前側部材３０が後側部材３１を前方から覆った状態で保持される。
【００４４】
上記吸気用開口部１４は、前側部材３０に形成され、上記排気用開口部２０は、後側部材３１に形成されている。
【００４５】
図９及び図１０に示すように、後側部材３１には、ケース１０の内部空間を前側と後側とに区画するための区画壁４０が設けられている。区画壁４０は上下方向に延びている。区画壁４０よりも後側の空間は、送風機４を収容するための送風機収容部４１とされている。送風機収容部４１の左右両側方及び上方には、排気用開口部２０が位置しており、送風機収容部４１は排気用開口部２０を介してケース１０の外部と連通している。
【００４６】
また、区画壁４０よりも前側の空間は、薬剤保持体３を収容するための薬剤収容部４２とされている。薬剤収容部４２の前方には、吸気用開口部１４が位置しており、薬剤収容部４２は吸気用開口部１４を介してケース１０の外部と連通している。
【００４７】
区画壁４０の上下方向中央部には、前後方向に貫通する貫通孔４３が形成されている。この貫通孔４３を介して送風機収容部４１と薬剤収容部４２とが連通している。
【００４８】
送風機４は、モーター４６とモーター４６の回転軸４６ａに固定されたファン４７とを備えている。後側部材３１には、モーター４６を固定するための固定板４８が設けられている。モーター４６は、回転軸４６ａがケース１０の前後方向に延びる姿勢となるように、かつ、前方へ向けて突出するように、固定板４８に固定されている。ファン４７は遠心式ファンに比較し、単位時間当たりの風量を多く確保できる軸流ファンを採用しているが、他の形式のファンを用いることも可能である。
【００４９】
薬剤保持体３は、ろ紙や不織布等からなるシートに害虫忌避剤を含浸させたものであり、シートを所定幅で、山折り、谷折りをくり返して形成された多数のひだ状部分を有する、いわゆるジャバラ形状を有している（図示省略）。尚、この形状はプリーツ形状とも呼ばれる。
【００５０】
薬剤保持体３は、箱状のカートリッジ５０に収容されている。カートリッジ５０の前側は開放されており、カートリッジ５０の内部は吸気用開口部１４と連通している。また、カートリッジ５０の後側も開放されており、カートリッジ５０の内部は送風機収容部４１と連通している。また、ケース１０の下部には、電池５が収容されている。
【００５１】
上述のごとく、本実施形態では、シロッコファン等の遠心式ファンに比較して静圧の低い軸流ファンを採用しているが、他方、薬剤保持体３はハニカム構造や単純なシート状よりも単位投影面積当たりの通気面積の大きいジャバラ形状を有していることにより、静圧の低い軸流ファンを用いながらも、効率のよい蒸散効果（単位時間当たりの薬剤の蒸散量が多い）を奏することが可能になる。
【００５２】
尚、薬剤保持体３の山及び谷の数や、山の高さ及び谷の深さ、山のピッチ等は、任意に設定することが可能である。
【００５３】
図６に示すように、ケース１０の左側壁部１０ｃの下部には、スイッチ５１が設けられている。スイッチ５１は、モーター４６及び電池５に接続されていて、モーター４６のＯＮとＯＦＦを切り替えるためのものである。
【００５４】
図１１及び図１２に示すように、ストラップ２は、フック部材６０と、ベルト部材６１とを備えている。フック部材６０は、ケース１０の上側、左側及び右側柱状部２１，２２，２３のいずれか１つに引っ掛けて係合させるための部材であり、例えばポリアセタール等の弾性と強度を兼ね備えた樹脂材で構成されている。
【００５５】
フック部材６０は、板状部６０ａと、フック形状部６０ｂと、ストッパ６０ｃ（図１２参照）とを備えている。板状部６０ａは略矩形状に形成されている。板状部６０ａの一縁部６０ｆ近傍には、ベルト部材６１が挿通する挿通孔６０ｄが形成されている。挿通孔６０ｄは、板状部６０ａの一縁部６０ｆに沿って延びるスリット形状とされている。
【００５６】
フック形状部６０ｂは、板状部６０ａの他縁部６０ｇに一体成形された棒状をなしている。フック形状部６０ｂの基端側は、図１１に示す板状部６０ａの平面視で、板状部６０ａから離れる方向に湾曲しながら延びている。フック形状部６０ｂの基端側の形状は、柱状部２１，２２，２３の外形状（図１１に仮想線で示す）に対応した円弧を描く形状である。柱状部２１，２２，２３は、フック形状部６０ｂの基端側と板状部６０ａとの間に入り込むようになっている。
【００５７】
フック形状部６０ｂの先端側は、板状部６０ａの他縁部６０ｇに近づく方向に延びた後、他縁部６０ｇから再び離れる方向に延びるように屈曲形成されている。
【００５８】
フック形状部６０ｂの先端側のうち、板状部６０ａの他縁部６０ｇに最も近づいた部分６０ｈと、該他縁部６０ｇとの間隔は、柱状部２１，２２，２３の径よりも狭く設定されている。よって、フック形状部６０ｂの基端側に入り込んだ柱状部２１，２２，２３が先端側へ向けて不意に抜けないようになっている。
【００５９】
フック形状部６０ｂの先端側のうち、板状部６０ａの他縁部６０ｇから再び離れる方向に延びる部分６０ｉは、柱状部２１，２２，２３をフック形状部６０ｂの基端側に案内するための案内部である。また、フック形状部６０ｂは、樹脂材の持つ弾性によって弾性変形するようになっている。
【００６０】
また、図３に示すように、フック形状部６０ｂは、ストラップ２の取り付け状態で、ケース１０の排気用開口部２０に挿入されるようになっている。このフック形状部６０ｂは、排気用開口部２０に挿入された状態で、排気用開口部２０の内面に沿ってケース１０の左右方向に延び、該内面に当接するようになっている。これにより、ケース１０がストラップ２に対し該ケース１０の前後方向（図３の矢印Ｙ方向）に揺動するのが規制される。本発明の規制部は、フック形状部６０ｂで構成されている。
【００６１】
図１２に示すように、ストッパ６０ｃは、板状部６０ａから板厚方向に突出する突起で構成されている。図３に示すように、ストッパ６０ｃは、ストラップ２がケース１０に取り付けられた状態で、ケース１０の排気用開口部２０の周縁部に当接してストラップ２が柱状部２１，２２，２３の周りに回転するのを阻止するためのものである。板状部６０ａには、ストラップ２の着脱方向を示す「着」の文字と、「脱」の文字と、三角形の矢印とが示されている。これにより、使用者がストラップ２の着脱作業を行いやすくなる。
【００６２】
ベルト部材６１は、帯状の部材からなり、板状部６０ａの挿入孔６０ｄに挿通された状態で長手方向の両端部が面ファスナー等によって固着されて輪を形作っている。面ファスナーの代わりにボタン等を設けてもよい。
【００６３】
尚、ストラップ２の構造は上記した構造に限られるものではなく、ベルト部材６１の代わりに、紐や鎖等を用いてもよいし、使用者のベルト等に引っ掛けることが可能なフックを有する構造であってもよい。
【００６４】
次に、上記のように構成された薬剤拡散装置１の動作について説明する。スイッチ５１をＯＮにするとモーター４６に電池５から電流が供給されてモーター４６が作動する。モーター４６の作動によりファン４７が回転する。図９に矢印で示すように、ファン４７の回転によりケース１０の外部の空気が吸気用開口部１４から薬剤収容部４２に取り込まれる。このとき、吸気用開口部１４は、ケース１０の前壁部１０ｅの広い範囲に形成されているので、空気をスムーズに取り込むことができる。
【００６５】
薬剤収容部４２に取り込まれた空気は、薬剤保持体３を通過して薬剤を含み、区画壁４０の貫通孔４３を通って送風機収容部４１に達する。送風機収容部４１の空気は、排気用開口部２０からケース１０の外部に排出される。この排気用開口部２０は、ケース１０の左側壁部１０ｃから上壁部１０ｂ、右側壁部１０ｄに亘って広い範囲に形成されているので、空気をスムーズに排出することができる。
【００６６】
このように吸気用開口部１４及び排気用開口部２０をケース１０の広い範囲に形成したことで、空気の流れをスムーズにして損失を低減できる。その結果、モーター４６やファン４７をそれほど大型化しなくても十分に高い能力を得ることができるので、薬剤拡散装置１の小型化が可能になる。
【００６７】
薬剤を含む空気は、排気用開口部２０から排出される際、上側、左側及び右側柱状部２１，２２，２３に当たるので、広い範囲に拡散することになる。
【００６８】
上記ストラップ２を取り付ける際には、上側、左側及び右側柱状部２１，２２，２３のいずれか１つに取り付けることができる。例えば、上側柱状部２１に取り付ける場合には、ストラップ２のフック部材６０を上側柱状部２１に引っ掛けて係合させる。すなわち、図１１に示すように、フック部材６０におけるフック形状部６０ｂの案内部６０ｉと、板状部６０ａの他端部６０ｇとの間に上側柱状部２１を位置付けた後、上側柱状部２１を径方向に相対的に移動させてフック形状部６０ｂの基端側に入れる。ストラップ２をケース１０に対して移動させる際には、フック部材６０に示されている「着」の方向に移動させればよい。上側柱状部２１をフック形状部６０ｂの基端側に入れる際、フック形状部６０ｂが板状部６０ａの他縁部６０ｇから離れる方向に弾性変形して上側柱状部２１がフック形状部６０の基端側に入り込むのを許容する。
【００６９】
ストラップ２を上側柱状部２１に取り付ける際、上側柱状部２１の周りは排気用開口部２０内部の空間であるため、この空間を利用して容易に取り付けることが可能になる。
【００７０】
図３に示すように、ストラップ２を取り付けると、ストッパ６０ｃがケース１０の排気用開口部２０の周縁部に当接し、ストラップ２が上側柱状部２１の周りに回転するのが阻止される。これにより、上側柱状部１２がフック部材６０の先端側から抜けるのを抑制できる。
【００７１】
ストラップ２を例えば使用者のベルトに装着した場合には、排気用開口部２０から排気される薬剤を含む空気は、上側柱状部２１に当たって拡散するとともに、ストラップ２のフック部材６０にも当たって拡散する。これにより、薬剤を広い範囲に拡散させることができる。
【００７２】
また、ストラップ２を例えば使用者のベルトに装着した場合には、ケース１０の後壁部１０ｆが使用者の体に接触することになる。そして、使用者が歩行等すると、ケース１０が上側柱状部２１の軸線周りに揺れ動くことになる。このとき、ストラップ２のフック形状部６０ｂは、排気用開口部２０に挿入されて排気用開口部２０の内面に当接していて、ケース１０がストラップ２に対し該ケース１０の前後方向（図３の矢印Ｙ方向）、即ち、使用者の体から離れる方向に揺動するのが規制されている。よって、ケース１０が使用者の体から離れて体に当たるように動くのを抑制でき、携帯時の違和感を感じ難くできる。
【００７３】
薬剤拡散装置１の携帯時には、薬剤拡散装置１が何かに当たったり、落下したりすることがある。これらの場合に、吸気用開口部１４の周縁部は棒状部１５によって補強され、さらに、排気孔開口部２０の周縁部は柱状部２１，２２，２３によって補強されているので、ケース１０の強度は十分に確保されており、よって、ケース１０の変形や破損を抑制できる。
【００７４】
また、ストラップ２を取り外す際には、上側柱状部２１をフック形状部６０ｂから抜けばよい。そして、ストラップ２は、例えば、左側柱状部２２や右側柱状部２３にも取り付けることができる。
【００７５】
ストラップ２を取り外した状態で使用する場合には、薬剤拡散装置１を机の上等に置けばよい。このとき、上側、左側及び右側柱状部２１，２２，２３は、排気用開口部２０内に位置していて外部から見えにくくなっている。つまり、この実施形態では、ストラップ２を取り付ける構造をシンプルな外観で実現しており、意匠性に優れている。
【００７６】
以上説明したように、この実施形態にかかる薬剤拡散装置１によれば、ケース１０における吸気用開口部１４の周縁部に棒状部１５を設け、排気用開口部２０の周縁部に柱状部２１，２２，２３を設けたので、ケース１０に大きな吸気用開口部１４及び排気用開口部２０を形成して高い能力を得る場合にケース１０の変形や破損を抑制できる。また、排気用開口部２０の周縁部に設けた柱状部２１，２２，２３にストラップ２を取り付けるようにしたことで、ストラップ２の取り付け作業性を良好にでき、しかも、専用のストラップ取付部を不要にして薬剤拡散装置１の更なるコンパクト化を図ることができ、携帯性を良好にすることができる。
【００７７】
また、柱状部２１，２２，２３を、ケース１０の排気用開口部２０の周縁部における互いに離れた部位同士を連結するように延びる形状としたので、ストラップ２を取り付ける際に、ケース２の排気用開口部２０を有効に利用して容易に取り付けることができる。
【００７８】
また、柱状部２１，２２，２３を排気用開口部２０の周縁部に設けたことで、薬剤を含んだ空気を柱状部２１，２２，２３及びストラップ２に当てることができる。これにより、薬剤を広い範囲に拡散させることができる。
【００７９】
また、ケース１０が使用者の体から離れる方向に移動するのを規制するようにしたので、例えば使用者が歩く際に、ケース１０が体から離れて体に当たるように動くのを抑制でき、携帯時の違和感を感じ難くできる。
【００８０】
また、柱状部２１，２２，２３を互いに間隔をあけて設けたので、ケース１０の強度をより一層高めることができ、しかも、ストラップ２の取付位置の変更が可能となって利便性を向上できる。
【００８１】
尚、上記実施形態では、ケース１０に棒状部１５を設けているが、棒状部１５を省略することもできる。
【００８２】
また、上記実施形態では、ケース１０の棒状部１５が上下方向に延びる形状となっているが、これに限らず、例えば、ケース１０の左右方向に延びる形状であってもよいし、斜めに延びる形状であってもよい。また、棒状部１５を波形に形成してもよいし、円を描くように形成してもよい。
【００８３】
また、図１３に示す変形例のように、吸気用開口部１４の周縁部には、補強用のグリル部７０を設けてもよい。この場合、ストラップ２のフック部材６０の形状をグリル部７０に引っ掛けることが可能な形状とすればよい。
【００８４】
また、上記実施形態では、上側、左側及び右側柱状部２１，２２，２３にストラップ２を取り付けることができるようにしたが、これに限らず、棒状部１５にストラップ２を取り付けるようにしてもよい。この場合、ストラップ２のフック部材６０の形状を棒状部１５に対応する形状となるようにすればよい。この場合、柱状部２１，２２，２３を省略してもよい。
【００８５】
また、薬剤拡散装置１の薬剤保持体３には、害虫忌避剤以外にも、芳香剤、消臭剤、殺菌剤、防ダニ剤、殺虫剤等を含浸させることができる。
【産業上の利用可能性】
【００８６】
以上説明したように、本発明にかかる薬剤拡散装置は、例えば防虫用として使用できる。
【符号の説明】
【００８７】
１        薬剤拡散装置
２        ストラップ
３        薬剤保持体
４        送風機
１０      ケース
１４      吸気用開口部
１５      棒状部（補強部）
２０      排気用開口部
２１      上側柱状部（補強部）
２２      左側柱状部（補強部）
２３      右側柱状部（補強部）
【図１】
2011142825.tif 000003
【図２】
2011142825.tif 000004
【図３】
2011142825.tif 000005
【図４】
2011142825.tif 000006
【図５】
2011142825.tif 000007
【図６】
2011142825.tif 000008
【図７】
2011142825.tif 000009
【図８】
2011142825.tif 000010
【図９】
2011142825.tif 000011
【図１０】
2011142825.tif 000012
【図１１】
2011142825.tif 000013
【図１２】
2011142825.tif 000014
【図１３】
2011142825.tif 000015